(57)【特許請求の範囲】
【請求項１】
一つの方向である配列方向に沿って一定の間隔を空けて並ぶ複数の帯状電極を備え、
前記帯状電極は、間隔を空けて配置された複数の電極線の集合であり、
前記帯状電極ごとの複数の前記電極線の総面積は、複数の前記帯状電極において均一であり、複数の前記帯状電極のうち前記配列方向における端部に位置する前記帯状電極において、前記帯状電極の面積に対する前記電極線の総面積の比は、他の前記帯状電極とは異なり、かつ、前記帯状電極の面積に対する前記電極線の総面積の比が、前記端部に位置する前記帯状電極において他の前記帯状電極よりも大きい
タッチセンサ用電極。
【請求項２】
一つの方向である配列方向に沿って一定の間隔を空けて並ぶ複数の帯状電極を備え、
前記帯状電極は、間隔を空けて配置された複数の電極線の集合であり、
前記帯状電極ごとの複数の前記電極線の総面積は、複数の前記帯状電極において均一であり、複数の前記帯状電極のうち前記配列方向における端部に位置する前記帯状電極において、前記帯状電極の面積に対する前記電極線の総面積の比は、他の前記帯状電極とは異なり、かつ、前記帯状電極の面積に対する前記電極線の総面積の比が、前記端部に位置する前記帯状電極において他の前記帯状電極よりも小さい
タッチセンサ用電極。
【請求項３】
前記端部に位置する前記帯状電極の一部は、第１電極部であり、
前記第１電極部において、単位面積に占める前記電極線の面積が、他の前記帯状電極と等しく、かつ、互いに隣り合う前記電極線の間隔が、他の前記帯状電極と等しい
請求項１または２に記載のタッチセンサ用電極。
【請求項４】
前記端部に位置する前記帯状電極の一部は、第２電極部であり、
前記第２電極部において、単位面積に占める前記電極線の面積が、他の前記帯状電極よりも大きく、かつ、互いに隣り合う前記電極線の間隔が、他の前記帯状電極よりも狭い
請求項３に記載のタッチセンサ用電極。
【請求項５】
前記端部に位置する前記帯状電極の一部は、第２電極部であり、
前記第２電極部において、単位面積に占める前記電極線の面積が、他の前記帯状電極よりも小さく、かつ、互いに隣り合う前記電極線の間隔が、他の前記帯状電極よりも広い
請求項３に記載のタッチセンサ用電極。
【請求項６】
前記端部に位置する前記帯状電極において、前記第２電極部と他の前記帯状電極との間に、前記第１電極部が位置する
請求項４または５に記載のタッチセンサ用電極。
【請求項７】
前記電極線が接続する前記帯状電極ごとのパッドをさらに備え、
前記第２電極部は、
前記パッドに接続する前記電極線である接続線と、
前記パッドに接続しない非接続線と、を備え、
前記非接続線は、
前記端部に位置する前記帯状電極において、互いに隣り合う前記電極線の間隔が、他の前記帯状電極よりも広い部位に位置する
請求項４から６のいずれか１つに記載のタッチセンサ用電極。
【請求項８】
前記帯状電極が並べられる表面を有する透明誘電体基材と、
前記透明誘電体基材の裏面に形成され、前記配列方向とは異なる方向に沿って並ぶ複数の対向帯状電極と、を備え、
前記端部に位置する帯状電極は、
前記帯状電極の面積に対する前記電極線の総面積の比が他の前記帯状電極よりも大きい部分として、互いに隣り合う電極線の間隔が、前記表面と前記裏面との間隔の２倍以上である
請求項１に記載のタッチセンサ用電極。
【請求項９】
全ての前記帯状電極の各々は、前記電極線を構成する第１電極線を含み、
前記端部以外に位置する前記帯状電極は、
前記第１電極線から構成され、
前記端部に位置する前記帯状電極は、
前記第１電極線の他に第２電極線を含む、
請求項１に記載のタッチセンサ用電極。
【請求項１０】
請求項１から９のいずれか１つに記載のタッチセンサ用電極と、
前記タッチセンサ用電極を覆うカバー層と、を備え、
前記タッチセンサ用電極は、
透明誘電体基材と、
前記透明誘電体基材の表面において第１方向に沿って隙間を空けて並ぶ複数の前記帯状電極と、
前記透明誘電体基材の裏面において第２方向に沿って隙間を空けて並ぶ複数の対向帯状電極と、
を備え、
前記帯状電極と前記対向帯状電極との間の静電容量を測定する周辺回路をさらに備える
タッチパネル。
【請求項１１】
前記複数の帯状電極を支持する第１基材と、
前記複数の対向帯状電極を支持する第２基材と、を備え、
前記透明誘電体基材は、
前記第１基材と前記第２基材とを含む
請求項１０に記載のタッチパネル。
【請求項１２】
前記複数の帯状電極を支持する第１基材と、
前記複数の対向帯状電極を支持する第２基材と、を備え、
前記透明誘電体基材は、
前記第１基材と前記第２基材のいずれか１つである
請求項１０に記載のタッチパネル。
【請求項１３】
前記透明誘電体基材は、１つの基板から構成されている
請求項１２に記載のタッチパネル。
【請求項１４】
情報を表示する表示パネルと、
前記表示パネルを駆動する駆動回路と、
前記表示パネルの表示する前記情報を透過するタッチパネルと、を備え、
前記タッチパネルが、請求項１０から１３のいずれか一項に記載のタッチパネルである、
を備える表示装置。
【発明の詳細な説明】
【技術分野】
【０００１】
本開示の技術は、一つの方向に沿って並べられた複数の電極を備えるタッチセンサ用電極、タッチセンサ用電極を備えるタッチパネル、および、表示装置に関する。
【背景技術】
【０００２】
表示装置に備えられるタッチセンサは、タッチセンサ用電極の一例であるドライブ電極とセンシング電極とを備え、指などが操作面に接触することをドライブ電極とセンシング電極との間の静電容量の変化として検出する。表示パネルの形成する画像は、これらドライブ電極とセンシング電極とを通して操作面へ出力されるため、ドライブ電極とセンシング電極とは、例えば、互いに間隔を空けて並べられた多数の電極線の集合として構成されている（例えば、特許文献１参照）。
【先行技術文献】
【特許文献】
【０００３】
【特許文献１】特開２０１２‐７９２３８号公報
【発明の概要】
【発明が解決しようとする課題】
【０００４】
ところで、ドライブ電極とセンシング電極との間の静電容量は、タッチセンサ用電極に接続される周辺回路によって測定されている。この際に、電極間における静電容量の初期値が大きすぎると、操作面と指との接触による小さい容量変化は、周辺回路における測定誤差として取り扱われてしまう。反対に、電極間における静電容量の初期値が小さすぎると、周辺回路におけるノイズが、操作面と指との接触として取り扱われてしまう。それゆえに、電極間における静電容量の初期値は、接触による容量変化分に適した値である必要がある。こうした要請は、通常、複数の電極の各々を、互いに等しい形状、および、大きさに形成し、かつ、一定の間隔を空けて並べることによって満たされている。
【０００５】
一方で、操作面において指により選択される部位は、操作面における画像の出力範囲内に定められる。この際に、ドライブ電極の並ぶ領域やセンシング電極の並ぶ領域が、画像の出力範囲よりも小さすぎると、出力された画像のなかには、指により選択されない部分が含まれてしまう。反対に、ドライブ電極の並ぶ領域やセンシング電極の並ぶ領域が、画像の出力範囲よりも大きすぎると、電極間における静電容量の測定が、無駄に繰り返されてしまう。それゆえに、電極の並ぶ領域の大きさは、画像の出力範囲と同じ程度である必要がある。こうした要請は、通常、電極の並ぶ領域の大きさを、表示パネルの大きさに合わせることによって満たされている。
【０００６】
すなわち、電極の形状、大きさ、および、配置など、１つの電極の配置に必要とされる単位領域の大きさは、静電容量の検出精度を高めるための規格に基づいて定められている。一方で、ドライブ電極の並ぶ領域の大きさやセンシング電極の並ぶ領域の大きさは、タッチセンサ以外の他の装置の大きさに基づいて定められている。そして、タッチセンサ用電極以外の他の装置の大きさは、通常、単位領域の整数倍とは異なるため、ドライブ電極の並ぶ領域やセンシング電極の並ぶ領域が画像の出力範囲よりも小さすぎると、接触の検出に本来必要とされる電極部分が、出力された画像の端部に含まれなくなってしまう。反対に、ドライブ電極の並ぶ領域やセンシング電極の並ぶ領域が画像の出力範囲よりも大きすぎると、電極の並ぶ領域の端部において、センシングの対象領域として本来必要とされない無駄な電極部分が含まれることになる。
【０００７】
結果として、１つの電極の配置に必要とされる領域の大きさが予め定められる以上、出力された画像の全体にわたりドライブ電極やセンシング電極が並べられると、出力された画像の外に電極の一部がはみ出してしまう。そして、タッチセンサが無駄な電極部分を含むことを抑えるために、出力される画像の外において無駄な電極部分が省かれると、結局のところ、電極間における静電容量の初期値が、電極の並ぶ領域の端部にて、他の部分よりも低くなってしまう。
【０００８】
なお、電極の並ぶ領域の端部の静電容量が他の部分よりも小さいことは、無駄な電極部分が省かれた構成に限らず、電極の並ぶ領域の端部と、それに対向する電極との相対的な位置のずれによっても生じ得る問題である。
【０００９】
本開示の技術は、電極の並ぶ領域の端部にて静電容量が低くなることを抑えるタッチセンサ用電極、タッチパネル、および、表示装置を提供することを目的とする。
【課題を解決するための手段】
【００１０】
本開示におけるタッチセンサ用電極の一態様は、一つの方向である配列方向に沿って一定の間隔を空けて並ぶ複数の帯状電極を備え、前記帯状電極は、間隔を空けて配置された複数の電極線の集合である。そして、前記帯状電極ごとの複数の前記電極線の総面積は、複数の前記帯状電極において均一であり、複数の前記帯状電極のうち前記配列方向における端部に位置する前記帯状電極において、前記帯状電極の面積に対する前記電極線の総面積の比は、他の前記帯状電極とは異なる。
【００１１】
本開示におけるタッチパネルの一態様は、上記タッチセンサ用電極と、前記タッチセンサ用電極を覆うカバー層とを備え、前記タッチセンサ用電極は、透明誘電体基材と、前記透明誘電体基材の表面において第１方向に沿って隙間を空けて並ぶ複数の前記帯状電極と、前記透明誘電体基材の裏面において第２方向に沿って隙間を空けて並ぶ複数の対向帯状電極と、を備え、前記帯状電極と前記対向帯状電極との間の静電容量を測定する周辺回路をさらに備える。
【００１２】
本開示における表示装置の一態様は、情報を表示する表示パネルと、前記表示パネルを駆動する駆動回路と、前記表示パネルの表示する前記情報を透過する前記タッチパネルと、を備える。
【００１３】
本開示の技術における一態様によれば、配列方向における端部に位置する帯状電極において、帯状電極ごとの電極線の総面積は、他の帯状電極と等しく、かつ、帯状電極の面積に対する電極線の総面積の比が、他の帯状電極とは異なる。それゆえに、配列方向における端部に位置する帯状電極において、帯状電極そのものの面積は他の帯状電極とは異なる一方で、他の帯状電極よりも静電容量が小さくなることが抑えられる。
【００１４】
本開示の技術におけるタッチセンサ用電極の他の態様において、前記帯状電極の面積に対する前記電極線の総面積の比が、前記端部に位置する前記帯状電極において他の前記帯状電極よりも大きくてもよい。
【００１５】
本開示の技術におけるタッチセンサ用電極の他の態様によれば、配列方向における端部に位置する帯状電極において、帯状電極そのものの面積は他の帯状電極よりも小さくなる一方で、他の帯状電極よりも静電容量が小さくなることが抑えられる。
【００１６】
本開示の技術におけるタッチセンサ用電極の他の態様において、前記帯状電極の面積に対する前記電極線の総面積の比が、前記端部に位置する前記帯状電極において他の前記帯状電極よりも小さくてもよい。
【００１７】
本開示の技術におけるタッチセンサ用電極の他の態様によれば、配列方向における端部に位置する帯状電極において、帯状電極そのものの面積は他の帯状電極よりも大きくなる。それゆえに、タッチセンサとして求められる領域の全てに帯状電極が並ぶように、配列方向における端部に新たな帯状電極が加えられ、その帯状電極の一部が省かれる構成と比べて、配列方向における端部に位置する帯状電極において、他の帯状電極よりも静電容量が小さくなることが抑えられる。
【００１８】
本開示におけるタッチセンサ用電極の他の態様では、前記端部に位置する帯状電極の一部は、第１電極部であり、前記第１電極部において、単位面積に占める前記電極線の面積が、他の前記帯状電極と等しく、かつ、互いに隣り合う前記電極線の間隔が、他の前記帯状電極と等しい。
【００１９】
本開示におけるタッチセンサ用電極の他の態様によれば、配列方向における端部に位置する帯状電極のなかに、他の帯状電極と同じ間隔で電極線の並ぶ部分が含まれている。それゆえに、配列方向における端部に位置する帯状電極と、他の帯状電極とが、互いに異なる帯状電極として視認されることが抑えられる。
【００２０】
本開示におけるタッチセンサ用電極の他の態様では、前記端部に位置する前記帯状電極の一部は、第２電極部であり、前記第２電極部において、単位面積に占める前記電極線の面積が、他の前記帯状電極よりも大きく、かつ、互いに隣り合う前記電極線の間隔が、他の前記帯状電極よりも狭い。
【００２１】
本開示におけるタッチセンサ用電極の他の態様によれば、互いに隣り合う電極線の間隔が、他の帯状電極よりも狭い部分によって、単位面積に占める電極線の面積は、他の帯状電極よりも高められる。
【００２２】
本開示におけるタッチセンサ用電極の他の態様では、前記端部に位置する前記帯状電極の一部は、第２電極部であり、前記第２電極部において、単位面積に占める前記電極線の面積が、他の前記帯状電極よりも小さく、かつ、互いに隣り合う前記電極線の間隔が、他の前記帯状電極よりも広い。
【００２３】
本開示におけるタッチセンサ用電極の他の態様によれば、互いに隣り合う電極線の間隔が、他の帯状電極よりも広い部分によって、単位面積に占める電極線の面積は、他の帯状電極よりも低くなる。
【００２４】
本開示におけるタッチセンサ用電極の他の態様では、前記端部に位置する前記帯状電極において、前記第２電極部と他の前記帯状電極との間に、前記第１電極部が位置する。
【００２５】
本開示におけるタッチセンサ用電極の他の態様によれば、配列方向における端部に位置する帯状電極では、互いに隣り合う電極線の間隔が、第１電極部において他の帯状電極と等しい。そして、第１電極部と、他の帯状電極とが、互いに隣り合うため、配列方向における端部に位置する帯状電極と、他の帯状電極との境目が視認されることが抑えられる。
【００２６】
本開示におけるタッチセンサ用電極の他の態様において、前記電極線が接続する前記帯状電極ごとのパッドをさらに備え、前記第２電極部は、前記パッドに接続する前記電極線である接続線と、前記パッドに接続しない非接続線と、を備える。そして、前記非接続線は、前記端部に位置する前記帯状電極において、互いに隣り合う前記電極線の間隔が、他の前記帯状電極よりも広い部位に位置することが好ましい。
【００２７】
本開示におけるタッチセンサ用電極の他の態様では、前記帯状電極が並べられる表面を有する透明誘電体基材と、前記透明誘電体基材の裏面に形成され、前記配列方向とは異なる方向に沿って並ぶ複数の対向帯状電極と、を備える。そして、前記端部に位置する帯状電極は、前記帯状電極の面積に対する前記電極線の総面積の比が他の前記帯状電極よりも大きい部分として、互いに隣り合う電極線の間隔が、前記表面と前記裏面との間隔の２倍以上であることが好ましい。
【００２８】
本開示におけるタッチセンサ用電極の他の態様によれば、配列方向における端部に位置する帯状電極にて、帯状電極内における電極線間の静電容量が、透明誘電体基材を通じた静電容量よりも大きくなることが抑えられる。それゆえに、配列方向における端部に位置する帯状電極では、静電容量の検出精度が他の帯状電極よりも低くなることが、さらに抑えられる。
【００２９】
本開示におけるタッチセンサ用電極の他の態様では、全ての前記帯状電極の各々は、前記電極線を構成する第１電極線を含み、前記端部以外に位置する前記帯状電極は、前記第１電極線から構成され、前記端部に位置する前記帯状電極は、前記第１電極線の他に第２電極線を含む。
【００３０】
本開示におけるタッチセンサ用電極の他の態様によれば、端部に位置する帯状電極では、第２電極線が含まれる部分によって、単位面積に占める電極線の面積は、他の帯状電極よりも高められる。
【００３１】
本開示におけるタッチパネルの他の態様は、前記複数の帯状電極を支持する第１基材と、前記複数の対向帯状電極を支持する第２基材と、を備え、前記透明誘電体基材は、前記第１基材と前記第２基材とを含んでもよい。
【００３２】
本開示におけるタッチパネルの他の態様によれば、透明誘電体基材の有する容量が、第１基材の容量と第２基材の容量とによって定まるため、透明誘電体基材の有する容量の自由度が高められる。
【００３３】
本開示におけるタッチパネルの他の態様は、前記複数の帯状電極を支持する第１基材と、前記複数の対向帯状電極を支持する第２基材と、を備え、前記透明誘電体基材は、前記第１基材と前記第２基材のいずれか１つであってもよい。
本開示におけるタッチパネルの他の態様において、前記透明誘電体基材は、１つの基板から構成されている。
【００３４】
本開示におけるタッチパネルの他の態様によれば、第１基材と第２基材とのいずれか１つによって透明誘電体基材が構成されるため、透明誘電体基材の厚みが過剰に厚くなることが抑えられる。
【発明の効果】
【００３５】
本開示の技術におけるタッチセンサ用電極、タッチパネル、および、表示装置によれば、電極の並ぶ領域の端部にて静電容量が低くなることが抑えられる。
【図面の簡単な説明】
【００３６】
【図１】本開示の技術を具体化した第１実施形態における表示装置を示す平面図であって、互いに重なる構成要素の一部が重なる順に切り欠いて示される図である。
【図２】第１実施形態における表示装置の断面構造を示す断面図である。
【図３】第１実施形態におけるタッチパネルの電気的構成を示すブロック図である。
【図４】第１実施形態におけるドライブ電極の配置を示す平面図である。
【図５】第１実施形態におけるドライブ電極とセンシング電極との配置の関係を示す平面図である。
【図６】第１実施形態のタッチセンサ用電極にてセンシング電極の間隔が６００μｍであるときのセンシング電極とドライブ電極との間における有限要素法を用いた電圧分布の数値計算結果を示す。
【図７】第１実施形態のタッチセンサ用電極にてセンシング電極の間隔が３００μｍであるときのセンシング電極とドライブ電極との間における有限要素法を用いた電圧分布の数値計算結果を示す。
【図８】変形例におけるセンシング電極の平面構造を示す平面図である。
【図９】変形例におけるセンシング電極の平面構造を示す平面図である。
【図１０】第２実施形態におけるドライブ電極とセンシング電極との配置の関係を示す平面図である。
【図１１】変形例におけるドライブ電極とセンシング電極との配置の関係を示す平面図である。
【図１２】変形例におけるドライブ電極とセンシング電極との配置の関係を示す平面図である。
【図１３】変形例における表示装置の断面構造を示す断面図である。
【図１４】変形例における表示装置の断面構造を示す断面図である。
【発明を実施するための形態】
【００３７】
［第１実施形態］
図１から図８を参照して、本開示におけるタッチセンサ用電極、タッチパネル、および、表示装置を具体化した一実施形態について説明する。まず、図１を参照して、表示装置の構成について説明する。
【００３８】
なお、図１では、ドライブ面に形成されるドライブ電極と、センシング面に形成されるセンシング電極との構成を説明する便宜上、ドライブ電極、および、センシング電極が誇張されている。
【００３９】
［表示装置］
図１に示されるように、表示装置は、駆動回路によって駆動される液晶パネルや有機ＥＬパネルなどの表示パネル１０と、タッチパネル２０とが、１つの透明接着層によって貼り合わされた積層体である。表示パネル１０の表面には、矩形形状に形成された表示面１０Ｓが区画され、表示面１０Ｓには、外部からの画像データに基づく画像が表示される。
【００４０】
タッチパネル２０は、タッチセンサ用電極２１とカバー層２２とが透明接着層２３によって貼り合わされた積層体である。カバー層２２は、ガラス基板や樹脂フィルムなどによって形成され、カバー層２２における透明接着層２３とは反対側の側面は、タッチパネル２０における操作面２０Ｓとして機能する。透明接着層２３は、表示面１０Ｓに表示される画像を透過する光透過性を有し、透明接着層２３には、例えば、ポリエーテル系接着剤やアクリル系接着剤が用いられる。
【００４１】
なお、タッチパネル２０の製造に際しては、タッチセンサ用電極２１とカバー層２２とが、透明接着層２３によって貼り合わされてもよいし、これとは異なる他の例として、以下の製造方法が採用されてもよい。すなわち、樹脂フィルムなどのカバー層２２に銅等の導電性金属からなる薄膜層を直接、もしくは、下地層を介して形成し、その上にタッチセンサ用電極パターン形状のレジスト層を形成する。次いで、塩化第二鉄等を用いたウエットエッチング法によって、薄膜層を、Ｘ方向に沿って延びるタッチセンサ用電極に加工して、第１のフィルムを得る。また、Ｘ方向に沿って延びるタッチセンサ用電極と同様に、薄膜層を、Ｙ方向に沿って延びるタッチセンサ用電極に加工して、第２のフィルムを得る。そして、第１フィルムと第２フィルムとを透明接着層２３によって貼り合せる。
【００４２】
タッチセンサ用電極２１を構成する透明基板３１は、第１基材の一例であって表示パネル１０に形成された表示面１０Ｓの全体に重ねられて、表示面１０Ｓに形成される画像を透過する。透明基板３１は、例えば、透明ガラス基板や透明樹脂フィルムなどの基材から構成されて、１つの基材から構成される単層構造であってもよいし、２つ以上の基材が重ねられた多層構造であってもよい。
【００４３】
透明基板３１における表示パネル１０とは反対側の側面は、ドライブ面３１Ｓとして設定され、透明基板３１のドライブ面３１Ｓには、電極線の一例である複数のドライブ電極線３１Ｌが、一つの方向である第１配列方向Ｄ１に沿って並べられている。複数のドライブ電極線３１Ｌの各々は、第１配列方向Ｄ１と直交する第２配列方向Ｄ２に沿って延びる折れ線状に形成されている。
【００４４】
複数のドライブ電極線３１Ｌの各々は、最も第１配列方向Ｄ１に位置するドライブ電極線３１Ｌから順に、９本ずつ、１つのパッド３１Ｔに接続されている。１つのパッド３１Ｔに接続され、かつ、第１配列方向Ｄ１に沿って間隔を空けて並ぶ９本のドライブ電極線３１Ｌは、帯状電極の一例である１つのドライブ電極３１ＤＰを構成している。
【００４５】
複数のドライブ電極線３１Ｌの各々には、銅やアルミニウムなどの金属膜、酸化亜鉛などの金属酸化物膜、酸化インジウム錫や酸化インジウムガリウム亜鉛などの、インジウム、スズ、ガリウム、亜鉛などを含む金属酸化物の複合酸化物膜が用いられる。また、複数のドライブ電極線３１Ｌの各々には、銀ナノワイヤー、導電性高分子膜、グラフェン膜などの導電膜も用いられる。９本のドライブ電極線３１Ｌから構成される複数のドライブ電極３１ＤＰは、各別に選択回路３４に接続されて、選択回路３４が印加する駆動電圧を受けて選択される。
【００４６】
複数のドライブ電極線３１Ｌと、複数のパッド３１Ｔとは、ドライブ面３１Ｓに形成された１つの薄膜が、マスクを介したエッチングによって同時に形成されてもよい。あるいは、複数のドライブ電極線３１Ｌと、複数のパッド３１Ｔとは、各別の工程によって相互に異なる材料から形成されてもよい。また、複数のドライブ電極線３１Ｌと、複数のパッド３１Ｔとは、透明基板３１とは異なる他の基材に形成され、複数のドライブ電極線３１Ｌと、複数のパッド３１Ｔとが、他の基材から透明基板３１に貼り付けられることによって形成されてもよい。
【００４７】
ドライブ面３１Ｓ、複数のドライブ電極線３１Ｌ、および、複数のパッド３１Ｔは、１つの透明接着層３２によって、第２基材の一例である透明誘電体基板３３に貼り合わされている。透明接着層３２は、表示面１０Ｓに表示される画像を透過する光透過性を有して、ドライブ面３１Ｓ、複数のドライブ電極線３１Ｌ、および、複数のパッド３１Ｔと、透明誘電体基板３３とを接着する。透明接着層３２には、例えば、ポリエーテル系接着剤やアクリル系接着剤が用いられる。透明接着層３２、および、透明誘電体基板３３は、透明誘電体基材を構成し、透明基材の裏面に、複数のドライブ電極線３１Ｌ、および、複数のパッド３１Ｔが形成されている。
【００４８】
透明誘電体基板３３は、例えば、ポリエチレンテレフタラートなどの透明樹脂フィルムや透明ガラス基板などの基材から構成されて、１つの基材から構成される単層構造であってもよいし、２つ以上の基材が重ねられた多層構造であってもよい。透明誘電体基板３３は、表示面１０Ｓに表示される画像を透過する光透過性と、電極間における静電容量の検出に適した比誘電率とを有する。
【００４９】
透明誘電体基板３３における透明接着層３２とは反対側の側面は、センシング面３３Ｓとして設定され、透明誘電体基板３３のセンシング面３３Ｓには、電極線の一例である複数のセンシング電極線３３Ｌが、第２配列方向Ｄ２に沿って並べられている。複数のセンシング電極線３３Ｌの各々は、第１配列方向Ｄ１に沿って延びる折れ線状に形成されている。
【００５０】
複数のセンシング電極線３３Ｌの各々は、最も第２配列方向Ｄ２に位置するセンシング電極線３３Ｌから順に、９本ずつ、１つのパッド３３Ｔに接続されている。１つのパッド３３Ｔに接続され、かつ、第２配列方向Ｄ２に沿って間隔を空けて並ぶ９本のセンシング電極線３３Ｌは、対向帯状電極の一例である１つのセンシング電極３３ＳＰを構成している。
【００５１】
複数のセンシング電極線３３Ｌの各々には、ドライブ電極線３１Ｌと同様に、銅やアルミニウムなどの金属膜、酸化亜鉛などの金属酸化物膜、酸化インジウム錫や酸化インジウムガリウム亜鉛などの、インジウム、スズ、ガリウム、亜鉛などを含む金属酸化物の複合酸化物膜が用いられる。また、複数のセンシング電極線３３Ｌの各々には、銀ナノワイヤー、導電性高分子膜、グラフェン膜などの導電膜も用いられる。９本のセンシング電極線３３Ｌから構成される複数のセンシング電極３３ＳＰは、各別に検出回路３５に接続されて、センシング電極３３ＳＰごとの電圧が、検出回路３５によって検出される。
【００５２】
複数のセンシング電極線３３Ｌと、複数のパッド３３Ｔとは、センシング面３３Ｓに形成された１つの薄膜が、マスクを介したエッチングによって同時に形成されてもよい。あるいは、複数のセンシング電極線３３Ｌと、複数のパッド３３Ｔとは、各別の工程によって相互に異なる材料から形成されてもよい。また、複数のセンシング電極線３３Ｌと、複数のパッド３３Ｔとは、透明誘電体基板３３とは異なる他の基材に形成され、複数のセンシング電極線３３Ｌと、複数のパッド３３Ｔとが、他の基材から透明誘電体基板３３に貼り付けられることによって形成されてもよい。
センシング面３３Ｓ、複数のセンシング電極線３３Ｌ、および、複数のパッド３３Ｔは、先に説明された透明接着層２３によってカバー層２２に貼り合わされている。
【００５３】
［表示装置の断面構造］
図２を参照して、表示装置の断面構造を説明する。なお、図２では、表示パネルの一例として液晶パネルを示す。
【００５４】
タッチパネル２０では、表示パネル１０に近い構成要素から順番に、透明基板３１、ドライブ電極３１ＤＰ、透明接着層３２、透明誘電体基板３３、センシング電極３３ＳＰ、透明接着層２３、カバー層２２が位置している。透明接着層３２は、ドライブ電極３１ＤＰを構成する各電極線３１Ｌの周りを覆って、隣り合う電極線３１Ｌの間を埋めながら、ドライブ電極３１ＤＰと透明誘電体基板３３との間に位置している。また、透明接着層２３は、センシング電極３３ＳＰを構成する各電極線３３Ｌの周りを覆って、隣り合う電極線３３Ｌの間を埋めながら、センシング電極３３ＳＰとカバー層２２との間に位置している。
【００５５】
表示パネル１０では、タッチパネル２０から遠い構成要素から順番に、表示パネル１０を構成する複数の構成要素が以下のように並んでいる。すなわち、タッチパネル２０から遠い構成要素から順番に、下側偏光板１１、薄膜トランジスタ（以下、ＴＦＴ）基板１２、ＴＦＴ層１３、液晶層１４、カラーフィルタ層１５、カラーフィルタ基板１６、上側偏光板１７が位置している。このうち、ＴＦＴ層１３には、サブ画素を構成する画素電極がマトリクス状に位置している。そして、カラーフィルタ層１５では、ブラックマトリクスが、サブ画素の各々と向かい合う矩形形状を有する複数の領域を区画し、ブラックマトリクスの区画する各領域には、白色光を赤色、緑色、および、青色のいずれかの色の光に変える着色層が位置している。
【００５６】
［タッチパネルの電気的構成］
図３を参照して、タッチパネル２０の電気的構成を説明する。なお、以下では、静電容量式のタッチパネル２０の一例として、相互容量方式のタッチパネル２０における電気的構成を説明する。
【００５７】
図３が示すように、タッチパネル２０は、選択回路３４、検出回路３５、および、制御部３６を備えている。選択回路３４は、複数のドライブ電極３１ＤＰに接続することが可能であり、検出回路３５は、複数のセンシング電極３３ＳＰに接続することが可能であり、制御部３６は、選択回路３４と検出回路３５とに接続している。
【００５８】
制御部３６は、各ドライブ電極３１ＤＰに対する駆動信号の生成を選択回路３４に開始させるための開始タイミング信号を生成して出力する。制御部３６は、駆動信号が供給される対象を１番目のドライブ電極３１ＤＰ１からｎ番目のドライブ電極３１ＤＰｎに向けて選択回路３４に順次走査させるための走査タイミング信号を生成して出力する。
【００５９】
制御部３６は、各センシング電極３３ＳＰを流れる電流の検出を検出回路３５に開始させるための開始タイミング信号を生成して出力する。制御部３６は、検出の対象を１番目のセンシング電極３３ＳＰ１からｎ番目のセンシング電極３３ＳＰｎに向けて検出回路３５に順次走査させるための走査タイミング信号を生成して出力する。
【００６０】
選択回路３４は、制御部３６の出力した開始タイミング信号に基づいて、駆動信号の生成を開始し、制御部３６の出力した走査タイミング信号に基づいて、駆動信号の出力先を１番目のドライブ電極３１ＤＰ１からｎ番目のドライブ電極３１ＤＰｎに向けて走査する。
【００６１】
検出回路３５は、信号取得部３５ａと信号処理部３５ｂとを備えている。信号取得部３５ａは、制御部３６の出力した開始タイミング信号に基づいて、各センシング電極３３ＳＰに生成されたアナログ信号である電流信号の取得を開始する。そして、信号取得部３５ａは、制御部３６の出力した走査タイミング信号に基づいて、電流信号の取得元を１番目のセンシング電極３３ＳＰ１からｎ番目のセンシング電極３３ＳＰｎに向けて走査する。
【００６２】
信号処理部３５ｂは、信号取得部３５ａの取得した各電流信号を処理して、デジタル値である電圧信号を生成し、生成した電圧信号を制御部３６に向けて出力する。このように、選択回路３４と検出回路３５とは、静電容量の変化に応じて変わる電流信号から電圧信号を生成することで、ドライブ電極３１ＤＰとセンシング電極３３ＳＰとの間の静電容量の変化を測定している。選択回路３４および検出回路３５が、タッチパネル用電極を駆動する周辺回路の一例である。
制御部３６は、信号処理部３５ｂの出力した電圧信号に基づいて、タッチパネル２０において使用者が触れている位置を検出する。
なお、タッチパネル２０は、上述した相互容量方式のタッチパネル２０に限らず、自己容量方式のタッチパネルであってもよい。
【００６３】
［電極３３ＤＰ，３３ＳＰ］
次に、図４および図５を参照して、ドライブ電極３１ＤＰとセンシング電極３３ＳＰとの構成について説明する。図４は、ドライブ電極３１ＤＰの平面構造を示す平面図であり、図５は、ドライブ電極３１ＤＰとセンシング電極３３ＳＰとをドライブ電極３１ＤＰとセンシング電極３３ＳＰとの積層される方向から見た平面図である。なお、図４、および、図５では、ドライブ電極線３１Ｌの配置、および、センシング電極線３３Ｌの配置を説明する便宜上、ドライブ電極線３１Ｌの線幅、および、センシング電極線３３Ｌの線幅が誇張されている。
【００６４】
［ドライブ電極３１ＤＰ］
図４に示されるように、１つのドライブ電極３１ＤＰは、第２配列方向Ｄ２に沿って延びる折れ線状に形成された９本のドライブ電極線３１Ｌから構成されて、第２配列方向Ｄ２に沿って延びる帯状電極である。すなわち、複数のドライブ電極３１ＤＰの各々の面積は、ドライブ面３１Ｓにおいて、９本のドライブ電極線３１Ｌと、相互に隣り合うドライブ電極線３１Ｌ間の隙間とから構成されて、複数のドライブ電極３１ＤＰの各々において相互に等しい。複数のドライブ電極３１ＤＰの各々は、第１配列方向Ｄ１に沿って並んでいる。
【００６５】
複数のドライブ電極３１ＤＰのうち、ドライブ電極３１ＤＰの並ぶ領域の両端部に配置されるドライブ電極３１ＤＰは、端部ドライブ電極３１ＤＥとして設定されている。複数のドライブ電極３１ＤＰのうち、端部ドライブ電極３１ＤＥ以外のドライブ電極３１ＤＰは、中間ドライブ電極３１ＤＭとして設定されている。
【００６６】
第１配列方向Ｄ１において、複数の中間ドライブ電極３１ＤＭの各々の位置は、表示面１０Ｓと重なる位置である。複数の中間ドライブ電極３１ＤＭにて、第１配列方向Ｄ１における長さは、中間電極幅ＷＰＭとして設定され、中間電極幅ＷＰＭは、例えば、５．４ｍｍに設定されている。
【００６７】
第１配列方向Ｄ１において、２つの端部ドライブ電極３１ＤＥの各々の位置は、表示面１０Ｓの内側と表示面１０Ｓの外側とに跨る位置である。２つの端部ドライブ電極３１ＤＥの各々にて、第１配列方向Ｄ１における長さは、端部電極幅ＷＰＥとして設定され、端部電極幅ＷＰＥは、中間電極幅ＷＰＭよりも小さく、例えば、４．８ｍｍに設定されている。
【００６８】
端部電極幅ＷＰＥが、中間電極幅ＷＰＭよりも小さいため、全てのドライブ電極３１ＤＰが、中間電極幅ＷＰＭを有する構成と比べて、ドライブ電極３１ＤＰの並ぶ領域では、第１配列方向Ｄ１における長さが短くなる。それゆえに、ドライブ電極３１ＤＰの並ぶ領域の端部では、センシングの対象領域以外の部分が含まれることが抑えられる。なお、センシングの対象領域とは、ドライブ電極３１ＤＰの並ぶ領域のうち、表示面１０Ｓと重なる部分である。
【００６９】
複数のドライブ電極線３１Ｌの各々において、第１配列方向Ｄ１に沿った長さは、ドライブ電極線幅Ｗ１Ｌとして設定され、ドライブ電極線幅Ｗ１Ｌは、例えば、５μｍに設定されている。
【００７０】
中間ドライブ電極３１ＤＭにおける複数のドライブ電極線３１Ｌでは、互いに隣り合うドライブ電極線３１Ｌの間隔が、ドライブ電極線間幅Ｗ１Ｗとして設定され、ドライブ電極線間幅Ｗ１Ｗは、例えば、６００μｍに設定されている。
【００７１】
端部ドライブ電極３１ＤＥにおけるドライブ電極線３１Ｌは、中間ドライブ電極３１ＤＭにおけるドライブ電極線３１Ｌと同じ幅を有している。すなわち、複数のドライブ電極３１ＤＰの各々において、ドライブ電極３１ＤＰごとの９本のドライブ電極線３１Ｌの占める総面積は、ドライブ面３１Ｓにおいて均一であって相互に等しい。
なお、端部ドライブ電極３１ＤＥにおけるドライブ電極線３１Ｌの幅は、中間ドライブ電極３１ＤＭにおけるドライブ電極線３１Ｌよりも大きくてもよい。
【００７２】
端部ドライブ電極３１ＤＥにおける複数のドライブ電極線３１Ｌでは、互いに隣り合うドライブ電極線３１Ｌの間隔が、ドライブ電極線間幅Ｗ１Ｗと端部ドライブ電極線間幅Ｗ１Ｎとして設定され、端部ドライブ電極線間幅Ｗ１Ｎは、例えば、ドライブ電極線間幅Ｗ１Ｗの１／２である３００μｍに設定されている。端部ドライブ電極３１ＤＥには、第１電極部の一例としてドライブ電極線間幅Ｗ１Ｗを有する部分が含まれ、かつ、第２電極部の一例として端部ドライブ電極線間幅Ｗ１Ｎを有する部分が含まれる。
【００７３】
端部ドライブ電極線間幅Ｗ１Ｎが、ドライブ電極線間幅Ｗ１Ｗよりも小さいため、ドライブ電極線３１Ｌ間の隙間の全てが、ドライブ電極線間幅Ｗ１Ｗを有する構成と比べて、端部ドライブ電極３１ＤＥでは、単位面積に占めるドライブ電極線３１Ｌの面積が、中間ドライブ電極３１ＤＭよりも大きい。言い換えれば、端部ドライブ電極３１ＤＥでは、ドライブ電極３１ＤＰの面積に対するドライブ電極線３１Ｌの総面積の比が、中間ドライブ電極３１ＤＭよりも大きい。
【００７４】
それゆえに、端部電極幅ＷＰＥが、中間電極幅ＷＰＭよりも小さいとはいえ、端部ドライブ電極３１ＤＥでは、中間ドライブ電極３１ＤＭよりも静電容量が小さくなることが抑えられる。結果として、端部ドライブ電極３１ＤＥでは、静電容量の検出精度が中間ドライブ電極３１ＤＭよりも低くなることが抑えられる。この際に、ドライブ電極３１ＤＰにおける単位面積とは、中間ドライブ電極３１ＤＭにおいて２本以上のドライブ電極線３１Ｌが含まれる大きさである。
【００７５】
なお、端部ドライブ電極線間幅Ｗ１Ｎだけ離れた２つのドライブ電極線３１Ｌは、ドライブ電極３１ＤＰの並ぶ領域の端部に位置することが好ましい。端部ドライブ電極線間幅Ｗ１Ｎを空けて並ぶドライブ電極線３１Ｌは、ドライブ電極線間幅Ｗ１Ｗを空けて並ぶドライブ電極線３１Ｌよりも密に配置される。この点で、端部ドライブ電極線間幅Ｗ１Ｎを空けて並ぶドライブ電極線３１Ｌが、ドライブ電極３１ＤＰの並ぶ領域の端部に位置する構成であれば、密に並ぶドライブ電極線３１Ｌが視認され難くなる。
【００７６】
また、端部ドライブ電極線間幅Ｗ１Ｎは、透明誘電体基板３３の厚さの２倍以上であることが好ましい。端部ドライブ電極線間幅Ｗ１Ｎが、透明誘電体基板３３の厚さの２倍以上であれば、複数のドライブ電極線３１Ｌにおける密度のばらつきが、視認され難くなる。なお、端部ドライブ電極線間幅Ｗ１Ｎが小さくなるほど、ドライブ電極線３１Ｌ間の静電容量は大きくなる。この点で、端部ドライブ電極線間幅Ｗ１Ｎが、透明誘電体基板３３の厚さの２倍以上であれば、ドライブ電極線３１Ｌ間の静電容量に起因するドライブ電極線３１Ｌとセンシング電極線３３Ｌとの間の静電容量のばらつきも抑えられる。
【００７７】
［センシング電極３３ＳＰ］
図５に示されるように、１つのセンシング電極３３ＳＰは、第１配列方向Ｄ１に沿って延びる折れ線状に形成された９本のセンシング電極線３３Ｌから構成されて、第１配列方向Ｄ１に沿って延びる対向帯状電極である。すなわち、複数のセンシング電極３３ＳＰの各々の面積は、センシング面３３Ｓにおいて、９本のセンシング電極線３３Ｌと、相互に隣り合うセンシング電極線３３Ｌ間の隙間とから構成されて、複数のセンシング電極３３ＳＰの各々において相互に等しい。複数のセンシング電極３３ＳＰの各々は、第２配列方向Ｄ２に沿って並び、かつ、平面視方向から見て、複数のドライブ電極３１ＤＰの各々と交差する位置に配置されている。
【００７８】
複数のセンシング電極３３ＳＰのうち、センシング電極３３ＳＰの並ぶ領域の両端部に配置されるセンシング電極３３ＳＰは、端部センシング電極３３ＳＥとして設定されている。複数のセンシング電極３３ＳＰのうち、端部センシング電極３３ＳＥ以外のセンシング電極３３ＳＰは、中間センシング電極３３ＳＭとして設定されている。
【００７９】
第２配列方向Ｄ２において、複数の中間センシング電極３３ＳＭの各々の位置は、表示面１０Ｓと重なる位置である。複数の中間センシング電極３３ＳＭにて、第２配列方向Ｄ２における長さは、中間電極幅ＷＳＭとして設定され、中間電極幅ＷＳＭは、中間電極幅ＷＰＭと同じく、例えば、５．４ｍｍに設定されている。
【００８０】
第２配列方向Ｄ２において、２つの端部センシング電極３３ＳＥの各々の位置は、表示面１０Ｓの内側と表示面１０Ｓの外側とに跨る位置である。２つの端部センシング電極３３ＳＥにて、第２配列方向Ｄ２における長さは、端部電極幅ＷＳＥとして設定され、端部電極幅ＷＳＥは、中間電極幅ＷＳＭよりも小さく、端部電極幅ＷＰＥと同じく、例えば、４．８ｍｍに設定されている。
【００８１】
端部電極幅ＷＳＥが、中間電極幅ＷＳＭよりも小さいため、全てのセンシング電極３３ＳＰが、中間電極幅ＷＳＭを有する構成と比べて、センシング電極３３ＳＰの並ぶ領域では、第２配列方向Ｄ２における長さが短くなる。それゆえに、センシング電極３３ＳＰの並ぶ領域の端部では、センシングの対象領域以外の部分が含まれることが抑えられる。
【００８２】
複数のセンシング電極線３３Ｌの各々において、第２配列方向Ｄ２に沿った長さは、センシング電極線幅Ｗ３Ｌとして設定され、センシング電極線幅Ｗ３Ｌは、例えば、５μｍに設定されている。
【００８３】
中間センシング電極３３ＳＭにおけるセンシング電極線３３Ｌでは、互いに隣り合うセンシング電極線３３Ｌの間隔が、センシング電極線間幅Ｗ３Ｗとして設定され、センシング電極線間幅Ｗ３Ｗは、例えば、６００μｍに設定されている。
【００８４】
端部センシング電極３３ＳＥにおけるセンシング電極線３３Ｌは、中間センシング電極３３ＳＭにおけるセンシング電極線３３Ｌと同じ幅を有している。すなわち、複数のセンシング電極３３ＳＰにおいて、センシング電極３３ＳＰごとの９本のセンシング電極線３３Ｌの占める総面積は、センシング面３３Ｓにおいて均一であって相互に等しい。
【００８５】
なお、端部センシング電極３３ＳＥにおけるセンシング電極線３３Ｌの幅は、中間センシング電極３３ＳＭにおけるセンシング電極線３３Ｌよりも大きくてもよい。
【００８６】
端部センシング電極３３ＳＥにおける複数のセンシング電極線３３Ｌでは、互いに隣り合うセンシング電極線３３Ｌの間隔が、センシング電極線間幅Ｗ３Ｗと端部センシング電極線間幅Ｗ３Ｎとして設定され、端部センシング電極線間幅Ｗ３Ｎは、例えば、センシング電極線間幅Ｗ３Ｗの１／２である３００μｍに設定されている。端部センシング電極３３ＳＥには、第１電極部の一例としてセンシング電極線間幅Ｗ３Ｗを有する部分が含まれ、かつ、第２電極部の一例として端部センシング電極線間幅Ｗ３Ｎを有する部分が含まれている。
【００８７】
端部センシング電極線間幅Ｗ３Ｎが、センシング電極線間幅Ｗ３Ｗよりも小さいため、センシング電極線３３Ｌ間の隙間の全てが、センシング電極線間幅Ｗ３Ｗを有する構成と比べて、端部センシング電極３３ＳＥでは、単位面積に占めるセンシング電極線３３Ｌの面積が、中間センシング電極３３ＳＭよりも大きい。言い換えれば、端部センシング電極３３ＳＥでは、センシング電極３３ＳＰの面積に対するセンシング電極線３３Ｌの総面積の比が、中間センシング電極３３ＳＭよりも大きい。
【００８８】
それゆえに、端部電極幅ＷＳＥが、中間電極幅ＷＳＭよりも小さいとはいえ、端部センシング電極３３ＳＥでは、中間センシング電極３３ＳＭよりも静電容量が小さくなることが抑えられる。結果として、端部センシング電極３３ＳＥでは、静電容量の検出精度が中間センシング電極３３ＳＭよりも低くなることが抑えられる。この際に、センシング電極３３ＳＰにおける単位面積とは、中間センシング電極３３ＳＭにおいて２本以上のセンシング電極線３３Ｌが含まれる大きさである。
【００８９】
なお、端部センシング電極線間幅Ｗ３Ｎだけ離れて位置する２つのセンシング電極線３３Ｌは、センシング電極３３ＳＰの並ぶ領域の端部に位置することが好ましい。端部センシング電極線間幅Ｗ３Ｎを空けて並ぶセンシング電極線３３Ｌは、センシング電極線間幅Ｗ３Ｗを空けて並ぶセンシング電極線３３Ｌよりも密に配置される。この点で、端部センシング電極線間幅Ｗ３Ｎを空けて並ぶセンシング電極線３３Ｌが、センシング電極３３ＳＰの並ぶ領域の端部に配置される構成であれば、密に並ぶセンシング電極線３３Ｌが視認され難くなる。
【００９０】
また、端部センシング電極線間幅Ｗ３Ｎは、透明誘電体基板３３の厚さの２倍以上であることが好ましい。端部センシング電極線間幅Ｗ３Ｎが、透明誘電体基板３３の厚さの２倍以上であれば、複数のセンシング電極線３３Ｌにおける密度のばらつきが、視認され難くなる。なお、端部センシング電極線間幅Ｗ３Ｎが小さくなるほど、センシング電極線３３Ｌ間の静電容量は大きくなる。この点で、端部センシング電極線間幅Ｗ３Ｎが、透明誘電体基板３３の厚さの２倍以上であれば、センシング電極線３３Ｌ間の静電容量に起因するドライブ電極線３１Ｌとセンシング電極線３３Ｌとの間の静電容量のばらつきも抑えられる。
【００９１】
［静電容量の数値計算結果］
次に、数値計算を用いて得られるドライブ電極３１ＤＰとセンシング電極３３ＳＰとの間の静電容量について以下に説明する。
ドライブ電極３１ＤＰとセンシング電極３３ＳＰとの間の静電容量の数値計算では、まず、各構成部材の厚さ、比誘電率、および、シート抵抗を以下の値に設定する。また、カバー層２２の上側、および、透明基板３１の下側に、厚さが１ｍｍであり、かつ、比誘電率が１．００である大気層を設定する。そして、第１配列方向Ｄ１に沿って５ｍｍを有し、第２配列方向Ｄ２に沿って５ｍｍを有する矩形の対象領域に対して、ラプラス方程式を有限要素法によって解く数値計算を用い、ドライブ電極３１ＤＰとセンシング電極３３ＳＰとの間の静電容量を算出する。
・カバー層２２              厚さ：７００μｍ／比誘電率  ：６．００
・透明接着層２３            厚さ：  ７５μｍ／比誘電率  ：２．６０
・全センシング電極線３３Ｌ  厚さ：    ２μｍ／シート抵抗：０．１６８Ω／□
・透明誘電体基板３３        厚さ：１００μｍ／比誘電率  ：３．２５
・透明接着層３２            厚さ：  ５０μｍ／比誘電率  ：２．６０
・全ドライブ電極線３１Ｌ    厚さ：    ２μｍ／シート抵抗：０．１６８Ω／□
・透明基板３１              厚さ：１００μｍ／比誘電率  ：３．２５
・ドライブ電極線間幅Ｗ１Ｗ        ６００μｍ
・端部ドライブ電極線間幅Ｗ１Ｎ    ３００μｍ
・センシング電極線間幅Ｗ３Ｗ      ６００μｍ
・端部センシング電極線間幅Ｗ３Ｎ  ３００μｍ
【００９２】
上述した条件下における数値計算結果では、対象領域が中間センシング電極３３ＳＭである場合、および、対象領域が端部センシング電極３３ＳＥである場合のいずれにおいても、ドライブ電極３１ＤＰとセンシング電極３３ＳＰとの間の静電容量は、１．０１ｐＦである。これに対して、例えば、中間センシング電極３３ＳＭを構成するセンシング電極線３３Ｌが８本である場合には、中間センシング電極３３ＳＭと中間ドライブ電極３１ＤＭとの間の静電容量は、０．７９ｐＦにまで低下する。
【００９３】
ここで、端部電極幅ＷＰＥを中間電極幅ＷＰＭよりも小さくする構成としては、端部ドライブ電極３１ＤＥに含まれるドライブ電極線３１Ｌの本数を少なくする構成が挙げられる。また、端部電極幅ＷＳＥを中間電極幅ＷＳＭよりも小さくする構成としては、端部センシング電極３３ＳＥに含まれるセンシング電極線３３Ｌの本数を少なくする構成が挙げられる。しかしながら、電極線３１Ｌ，３３Ｌの本数が単に少ない構成では、上記数値計算結果が示すように、端部ドライブ電極３１ＤＥ、および、端部センシング電極３３ＳＥにて、他の電極３１ＤＰ，３３ＳＰよりも静電容量が低くなってしまう。
【００９４】
これに対して、上述した構成であれば、端部電極幅ＷＰＥ，ＷＳＥを有する電極３１ＤＰ，３３ＳＰにて、単位面積に占める電極線３１Ｌ，３３Ｌの面積が、他の電極３１ＤＰ，３３ＳＰよりも大きい。それゆえに、上記数値計算結果が示すように、端部電極幅ＷＰＥ，ＷＳＥを有する電極３１ＤＰ，３３ＳＰでも、他の電極３１ＤＰ，３３ＳＰと同じ程度の静電容量が得られる。
次に、数値計算を用いて得られるドライブ電極３１ＤＰとセンシング電極３３ＳＰとの間の電圧分布について図６、および、図７を参照して説明する。
【００９５】
なお、図６、および、図７では、ドライブ電極３１ＤＰとセンシング電極３３ＳＰとが平面視にて交差する部位での電圧幅が、１．０として設定される。そして、図６、および、図７では、交差する部位での電圧幅に対して、０．８倍以上１．０倍以下の電圧幅を示す領域が、第１電圧領域Ｚ１として設定され、０．７倍以上０．８倍未満の電圧幅を示す領域が、第２電圧領域Ｚ２として設定される。さらに、図６、および、図７では、交差する部位での電圧幅に対して、０．２倍以上０．７倍未満の電圧幅を示す領域が、第３電圧領域Ｚ３として設定される。
【００９６】
ドライブ電極３１ＤＰとセンシング電極３３ＳＰとの間の電圧分布の数値計算では、まず、静電容量の数値計算と同じく、各構成部材の厚さ、比誘電率、および、シート抵抗を設定する。また、カバー層２２の上側、および、透明基板３１の下側に、厚さが１ｍｍであり、かつ、比誘電率が１．００である大気層を設定する。そして、センシング電極３３ＳＰに印加する電圧を０Ｖ、ドライブ電極３１ＤＰに印加する電圧を３Ｖ〜２０Ｖに変更し、ラプラス方程式を有限要素法によって解く数値計算を用い、ドライブ電極３１ＤＰとセンシング電極３３ＳＰとの間の電圧分布を算出する。
【００９７】
図６に示されるように、互いに隣り合うセンシング電極線３３Ｌの間隔が、センシング電極線間幅Ｗ３Ｗである部位では、互いに隣り合うセンシング電極線３３Ｌ間の隙間に、第１電圧領域Ｚ１、第２電圧領域Ｚ２、および、第３電圧領域Ｚ３が介在する。それゆえに、互いに隣り合うセンシング電極線３３Ｌの間隔が、センシング電極線間幅Ｗ３Ｗであれば、互いに隣り合うセンシング電極線３３Ｌ間において、センシング電極線３３Ｌ間の干渉は、十分に無視される大きさである。
【００９８】
図７に示されるように、互いに隣り合うセンシング電極線３３Ｌの間隔が、端部センシング電極線間幅Ｗ３Ｎである部位では、互いに隣り合うセンシング電極線３３Ｌ間の隙間に、第２電圧領域Ｚ２、および、第３電圧領域Ｚ３が介在する。それゆえに、互いに隣り合うセンシング電極線３３Ｌの間隔が、端部センシング電極線間幅Ｗ３Ｎであっても、互いに隣り合うセンシング電極線３３Ｌ間において、センシング電極線３３Ｌ間の干渉は、無視される程度の大きさである。すなわち、互いに隣り合うセンシング電極線３３Ｌの間隔（３００μｍ）が、ドライブ電極３１ＤＰとセンシング電極３３ＳＰとの間隔（１５０μｍ）の少なくとも２倍以上であれば、センシング電極線３３Ｌ間の干渉は、無視される程度である。
【００９９】
［表示装置の作用］
表示パネル１０が表示面１０Ｓに画像を表示するとき、表示面１０Ｓに表示される画像は、ドライブ電極３１ＤＰ、および、センシング電極３３ＳＰを通じて、カバー層２２の表面に出力される。カバー層２２の表面である操作面のうち、平面視方向にて表示面１０Ｓと重なる領域は、指により選択される部位である。
【０１００】
この際に、ドライブ電極３１ＤＰの並ぶ領域のうち、表示面１０Ｓと重なる部分は、センシングの対象領域として設定され、センシングの対象領域の全体にわたりドライブ電極３１ＤＰは並べられている。また、センシング電極３３ＳＰの並ぶ領域のうち、表示面１０Ｓと重なる部分も、センシングの対象領域として設定され、センシングの対象領域の全体にわたりセンシング電極３３ＳＰは並べられている。それゆえに、操作面における画像の出力範囲に指などが接触する際には、ドライブ電極３１ＤＰとセンシング電極３３ＳＰとの間の静電容量が、指などの接触する部位にて変化する。そして、静電容量の変化が検出されることによって、操作面にて指の接触する位置が把握される。
【０１０１】
そして、端部電極幅ＷＰＥが、中間電極幅ＷＰＭよりも小さいため、ドライブ電極３１ＤＰの並ぶ領域では、第１配列方向Ｄ１における長さが短くなる。また、端部電極幅ＷＳＥが、中間電極幅ＷＳＭよりも小さいため、センシング電極３３ＳＰの並ぶ領域では、第２配列方向Ｄ２における長さが短くなる。それゆえに、ドライブ電極３１ＤＰの並ぶ領域の端部、および、センシング電極３３ＳＰの並ぶ領域の端部では、センシングの対象領域以外の部分が含まれることが抑えられる。
【０１０２】
そのうえ、端部ドライブ電極線間幅Ｗ１Ｎが、ドライブ電極線間幅Ｗ１Ｗよりも小さいため、端部ドライブ電極３１ＤＥでは、単位面積に占めるドライブ電極線３１Ｌの面積が、中間ドライブ電極３１ＤＭよりも大きい。また、端部センシング電極線間幅Ｗ３Ｎが、センシング電極線間幅Ｗ３Ｗよりも小さいため、端部センシング電極３３ＳＥでは、単位面積に占めるセンシング電極線３３Ｌの面積が、中間センシング電極３３ＳＭよりも大きい。それゆえに、端部ドライブ電極３１ＤＥでは、中間ドライブ電極３１ＤＭよりも静電容量が小さくなることが抑えられ、また、端部センシング電極３３ＳＥでは、中間センシング電極３３ＳＭよりも静電容量が小さくなることが抑えられる。
【０１０３】
上記第１実施形態によれば、以下の効果が得られる。
（１）第１配列方向Ｄ１におけるドライブ電極３１ＤＰの幅が、全てのドライブ電極３１ＤＰで互いに等しい構成と比べて、ドライブ電極３１ＤＰの並ぶ領域の端部にセンシングの対象領域以外の部分が含まれることが抑えられる。
【０１０４】
（２）第２配列方向Ｄ２におけるセンシング電極３３ＳＰの幅が、全てのセンシング電極３３ＳＰで互いに等しい構成と比べて、センシング電極３３ＳＰの並ぶ領域の端部にセンシングの対象領域以外の部分が含まれることが抑えられる。
【０１０５】
（３）端部ドライブ電極３１ＤＥでは、単位面積に占める電極線の面積が他のドライブ電極３１ＤＰよりも大きいため、他のドライブ電極３１ＤＰよりも静電容量が小さくなることが抑えられる。
【０１０６】
（４）端部センシング電極３３ＳＥでは、単位面積に占める電極線の面積が他のセンシング電極３３ＳＰよりも大きいため、他のセンシング電極３３ＳＰよりも静電容量が小さくなることが抑えられる。
【０１０７】
（５）端部ドライブ電極３１ＤＥでは、互いに隣り合うドライブ電極線３１Ｌの間隔が、端部ドライブ電極線間幅Ｗ１Ｎであることによって、単位面積に占める電極線の面積が、他の帯状電極よりも高められる。それゆえに、単位面積に占める電極線の面積が高められるに際し、ドライブ電極線３１Ｌの大きさの変更、および、ドライブ電極線３１Ｌの形状の変更が不要である。
【０１０８】
（６）端部センシング電極３３ＳＥでは、互いに隣り合うセンシング電極線３３Ｌの間隔が、端部センシング電極線間幅Ｗ３Ｎであることによって、単位面積に占める電極線の面積が、他の帯状電極よりも高められる。それゆえに、単位面積に占める電極線の面積が高められるに際し、センシング電極線３３Ｌの大きさの変更、および、センシング電極線３３Ｌの形状の変更が不要である。
【０１０９】
（７）端部ドライブ電極３１ＤＥでは、互いに隣り合うドライブ電極線３１Ｌの間隔が、ドライブ電極線間幅Ｗ１Ｗである部分が含まれる。それゆえに、端部ドライブ電極３１ＤＥと、中間ドライブ電極３１ＤＭとが、互いに異なる電極として視認されることが抑えられる。
【０１１０】
（８）端部センシング電極３３ＳＥでは、互いに隣り合うセンシング電極線３３Ｌの間隔が、センシング電極線間幅Ｗ３Ｗである部分が含まれる。それゆえに、端部センシング電極３３ＳＥと、中間センシング電極３３ＳＭとが、互いに異なる電極として視認されることが抑えられる。
【０１１１】
（９）互いに隣り合うドライブ電極線３１Ｌ間での電圧幅に関する干渉が抑えられ、また、互いに隣り合うセンシング電極線３３Ｌ間での電圧幅に関する干渉が抑えられる。それゆえに、端部ドライブ電極３１ＤＥ、および、端部センシング電極３３ＳＥでは、静電容量の検出精度が中間ドライブ電極３１ＤＭや中間センシング電極３３ＳＭよりも低くなることが、さらに抑えられる。
【０１１２】
なお、上記第１実施形態は、以下のように変更して実施することもできる。
・図８に示されるように、端部ドライブ電極３１ＤＥの全体にて、互いに隣り合うドライブ電極線３１Ｌの間隔が、ドライブ電極線間幅Ｗ１Ｗよりも小さい端部ドライブ電極線間幅Ｗ１Ｎであってもよい。
【０１１３】
なお、端部センシング電極３３ＳＥにおいても同様に、端部センシング電極３３ＳＥに含まれる全てのセンシング電極線３３Ｌにて、互いに隣り合うセンシング電極線３３Ｌの間隔が、センシング電極線間幅Ｗ３Ｗよりも小さい端部センシング電極線間幅Ｗ３Ｎであってもよい。
【０１１４】
・端部ドライブ電極３１ＤＥにおけるドライブ電極線３１Ｌの幅は、中間ドライブ電極３１ＤＭにおけるドライブ電極線３１Ｌの幅と同じであってもよい。この際に、端部ドライブ電極線間幅Ｗ１Ｎが、ドライブ電極線間幅Ｗ１Ｗよりも小さい構成であればよい。
【０１１５】
・図９に示されるように、端部ドライブ電極線間幅Ｗ１Ｎが、ドライブ電極線間幅Ｗ１Ｗと同じ程度に設定され、かつ、上記ドライブ電極線３１Ｌが、第１ドライブ電極線として設定される。そして、端部ドライブ電極３１ＤＥには、中間ドライブ電極３１ＤＭよりも少ない本数の第１ドライブ電極線が含まれる一方で、第１電極線の一例である第１ドライブ電極線の他に、さらに第２電極線の一例である第２ドライブ電極線３５Ｌが含まれてもよい。この際に、第２ドライブ電極線３５Ｌは、第１ドライブ電極線と交差する方向に沿って形成され、端部ドライブ電極３１ＤＥは、格子状に形成されたドライブ電極線を含むことが好ましい。
【０１１６】
こうした構成であっても、端部ドライブ電極３１ＤＥにて、単位面積に占めるドライブ電極線の面積は、中間ドライブ電極３１ＤＭよりも高められる。また、互いに隣り合う第１ドライブ電極線の間隔がドライブ面３１Ｓにて保たれるため、第１ドライブ電極線の密度の分布が視認されることが抑えられる。この際に、単位面積とは、２本以上の第１ドライブ電極線と、１本以上の第２ドライブ電極線とが含まれる大きさである。なお、第２ドライブ電極線３５Ｌが含まれる構成であっても、上記実施形態と同じく、端部ドライブ電極線間幅Ｗ１Ｎは、ドライブ電極線間幅Ｗ１Ｗよりも小さくてもよい。
【０１１７】
なお、端部センシング電極線間幅Ｗ３Ｎが、センシング電極線間幅Ｗ３Ｗと同じ程度に設定され、かつ、上記センシング電極線３３Ｌが、第１電極線の一例である第１センシング電極線として設定されてもよい。そして、端部センシング電極３３ＳＥには、中間センシング電極３３ＳＭよりも少ない本数の第１センシング電極線が含まれる一方で、第１センシング電極線の他に、さらに第２電極線の一例である第２センシング電極線が含まれてもよい。こうした構成においても、上記端部ドライブ電極３１ＤＥの構成に準じた効果が、端部センシング電極３３ＳＥにて得られる。
【０１１８】
・ちなみに、上記実施形態における端部ドライブ電極３１ＤＥに、さらに、上記第２ドライブ電極線が含まれてもよく、また、上記実施形態における端部センシング電極３３ＳＥに、さらに、上記第２センシング電極線が含まれてもよい。
【０１１９】
・また、端部ドライブ電極３１ＤＥの全体にて、互いに隣り合うドライブ電極線３１Ｌの間隔が、ドライブ電極線間幅Ｗ１Ｗよりも小さい端部ドライブ電極線間幅Ｗ１Ｎであり、かつ、その端部ドライブ電極３１ＤＥに、上記第２ドライブ電極線が含まれてもよい。また、端部センシング電極３３ＳＥの全体にて、互いに隣り合うセンシング電極線３３Ｌの間隔が、センシング電極線間幅Ｗ３Ｗよりも小さい端部センシング電極線間幅Ｗ３Ｎであり、かつ、その端部センシング電極３３ＳＥに、上記第２センシング電極線が含まれてもよい。
【０１２０】
・端部ドライブ電極３１ＤＥには、中間ドライブ電極３１ＤＭにおけるドライブ電極線幅Ｗ１Ｌよりも大きい線幅を有するドライブ電極線が含まれてもよい。このような構成であっても、端部電極幅ＷＰＥが中間電極幅ＷＰＭよりも小さく、かつ、単位面積に占めるドライブ電極線の面積が、端部ドライブ電極３１ＤＥにて中間ドライブ電極３１ＤＭよりも大きい構成であれば、上記に準じた効果は得られる。この際に、単位面積とは、２本以上のドライブ電極線３１Ｌが含まれる大きさである。
【０１２１】
また、端部センシング電極３３ＳＥには、中間センシング電極３３ＳＭにおけるセンシング電極線幅Ｗ３Ｌよりも大きい線幅を有するセンシング電極線が含まれてもよい。このような構成であっても、端部電極幅ＷＳＥが中間電極幅ＷＳＭよりも小さく、かつ、単位面積に占めるセンシング電極線の面積が、端部センシング電極３３ＳＥにて中間センシング電極３３ＳＭよりも大きい構成であれば、上記に準じた効果は得られる。この際に、単位面積とは、２本以上のセンシング電極線３３Ｌが含まれる大きさである。
【０１２２】
・ドライブ電極３１ＤＰを構成するドライブ電極線３１Ｌの本数は、２本以上であればよく、また、センシング電極３３ＳＰを構成するセンシング電極線３３Ｌの本数は、２本以上であればよい。
【０１２３】
・互いに隣り合うドライブ電極線３１Ｌの間の距離であるドライブ電極線幅Ｗ１Ｌは、ドライブ電極線３１Ｌ間ごとに異なる大きさであってもよい。要するに、端部ドライブ電極３１ＤＥにて、単位面積に占めるドライブ電極線３１Ｌの面積が、中間ドライブ電極３１ＤＭよりも大きい構成であればよい。
【０１２４】
・互いに隣り合うセンシング電極線３３Ｌの間の距離であるセンシング電極線幅Ｗ３Ｌは、センシング電極線３３Ｌ間ごとに異なる大きさであってもよい。要するに、端部センシング電極３３ＳＥにて、単位面積に占めるセンシング電極線３３Ｌの面積が、中間センシング電極３３ＳＭよりも大きい構成であればよい。
【０１２５】
・センシングの対象領域は、ドライブ電極３１ＤＰの並ぶ領域のうち、表示面１０Ｓと重なる部分以外であってもよい。また、センシング対象領域は、センシング電極３３ＳＰの並ぶ領域のうち、表示面１０Ｓと重なる部分以外であってもよい。例えば、センシングの対象領域は、タッチセンサ用電極２１、タッチパネル２０、および、表示パネル１０の少なくとも１つにおける構造や製造工程からの要請に基づいて固有に定められる領域であってもよい。
【０１２６】
・複数のドライブ電極３１ＤＰのうち、第１配列方向Ｄ１における一方の端部に配置されるドライブ電極３１ＤＰのみが、端部ドライブ電極３１ＤＥとして設定されてもよい。また、複数のセンシング電極３３ＳＰのうち、第２配列方向Ｄ２における一方の端部に配置されるセンシング電極３３ＳＰのみが、端部センシング電極３３ＳＥとして設定されてもよい。
【０１２７】
・端部ドライブ電極３１ＤＥにおける端部ドライブ電極線間幅Ｗ１Ｎは、ドライブ電極線間幅Ｗ１Ｗと同じであってもよい。あるいは、端部センシング電極３３ＳＥにおける端部センシング電極線間幅Ｗ３Ｎは、センシング電極線間幅Ｗ３Ｗと同じであってもよい。要するに、端部ドライブ電極線間幅Ｗ１Ｎが、ドライブ電極線間幅Ｗ１Ｗよりも小さい、あるいは、端部センシング電極線間幅Ｗ３Ｎが、センシング電極線間幅Ｗ３Ｗよりも小さい構成であればよい。
【０１２８】
・複数のドライブ電極３１ＤＰの各々は、互いに交差するドライブ電極線によって格子状に形成されてもよい。この際に、端部ドライブ電極３１ＤＥは、ドライブ電極線の密度を中間ドライブ電極３１ＤＭよりも高くする構成であればよい。要するに、端部電極幅ＷＰＥが中間電極幅ＷＰＭよりも小さく、かつ、単位面積に占めるドライブ電極線の面積が、端部ドライブ電極３１ＤＥにて中間ドライブ電極３１ＤＭよりも大きい構成であればよい。
【０１２９】
・複数のセンシング電極３３ＳＰの各々は、互いに交差するセンシング電極線によって格子状に形成されてもよい。この際に、端部センシング電極３３ＳＥは、センシング電極線の密度を中間センシング電極３３ＳＭよりも高くする構成であればよい。要するに、端部電極幅ＷＳＥが中間電極幅ＷＳＭよりも小さく、かつ、単位面積に占めるセンシング電極線の面積が、端部センシング電極３３ＳＥにて中間センシング電極３３ＳＭよりも大きい構成であればよい。
【０１３０】
・端部電極幅ＷＰＥは、中間電極幅ＷＰＭ以上であってもよいし、端部電極幅ＷＳＥは、中間電極幅ＷＳＭ以上であってもよい。要は、配列方向における端部に位置する帯状電極の単位面積に占める電極線の面積が、他の帯状電極の電極線の面積よりも大きい構成であればよい。
・ドライブ電極３１ＤＰが対向帯状電極であって、センシング電極３３ＳＰが帯状電極であってもよい。
【０１３１】
［第２実施形態］
図１０から図１２を参照して、本開示におけるタッチセンサ用電極、タッチパネル、および、表示装置を具体化した第２実施形態について説明する。
なお、第２実施形態は、表示面に対するドライブ電極の位置、端部ドライブ電極の構成、表示面に対するセンシング電極の位置、および、端部センシング電極の構成が、第１実施形態とは主に異なる。それゆえに、以下では、第１実施形態とは異なる構成を主に説明し、第１実施形態と同様の構成は、同じ符号を付してその説明を割愛する。また、図１０から図１２の各々は、ドライブ電極とセンシング電極との配置の関係を示す平面図であって、第１実施形態において説明された図５に対応する図である。
【０１３２】
［ドライブ電極３１ＤＰ］
図１０に示されるように、１つのドライブ電極３１ＤＰは、第２配列方向Ｄ２に沿って延びる折れ線状に形成された９本のドライブ電極線３１Ｌから構成されて、第２配列方向Ｄ２に沿って延びる帯状電極である。複数のドライブ電極３１ＤＰの各々の面積は、表示面１０Ｓと平行な面であるドライブ面上において、９本のドライブ電極線３１Ｌと、相互に隣り合うドライブ電極線３１Ｌ間の隙間とから構成されている。複数のドライブ電極３１ＤＰの各々は、平面視方向から見て、複数のセンシング電極３３ＳＰの各々と交差する位置に配置されている。
【０１３３】
複数のドライブ電極３１ＤＰのうち、ドライブ電極３１ＤＰの並ぶ領域の両端部に配置されるドライブ電極３１ＤＰは、端部ドライブ電極３１ＤＥとして設定されている。複数のドライブ電極３１ＤＰのうち、端部ドライブ電極３１ＤＥ以外のドライブ電極３１ＤＰは、中間ドライブ電極３１ＤＭとして設定されている。
【０１３４】
第１配列方向Ｄ１において、複数の中間ドライブ電極３１ＤＭの各々の位置は、表示面１０Ｓと重なる位置である。複数の中間ドライブ電極３１ＤＭにて、第１配列方向Ｄ１における長さは、中間電極幅ＷＰＭとして設定されている。中間電極幅ＷＰＭは、中間ドライブ電極３１ＤＭを構成する９本のドライブ電極線３１Ｌの接続先であるパッド３１Ｔの有する幅と同じである。
【０１３５】
第１配列方向Ｄ１において、２つの端部ドライブ電極３１ＤＥの各々は、表示面１０Ｓと対向する領域の内側に位置している。２つの端部ドライブ電極３１ＤＥにて、第１配列方向Ｄ１における長さは、端部電極幅ＷＰＥとして設定されている。端部電極幅ＷＰＥは、端部ドライブ電極３１ＤＥを構成する９本のドライブ電極線３１Ｌの接続先であるパッド３１Ｔの有する幅と同じであり、中間電極幅ＷＰＭよりも大きい。
【０１３６】
端部電極幅ＷＰＥが、中間電極幅ＷＰＭよりも大きいため、全てのドライブ電極３１ＤＰが、中間電極幅ＷＰＭを有する構成と比べて、ドライブ電極３１ＤＰの並ぶ領域では、第１配列方向Ｄ１における長さが長くなる。それゆえに、ドライブ電極３１ＤＰの並ぶ領域の端部では、センシングの対象領域に対して不足する部分が発生することが抑えられる。
【０１３７】
複数のドライブ電極線３１Ｌの各々において、第１配列方向Ｄ１に沿った長さは、ドライブ電極線幅Ｗ１Ｌとして設定され、ドライブ電極線幅Ｗ１Ｌは、例えば、５μｍに設定されている。
【０１３８】
中間ドライブ電極３１ＤＭにおけるドライブ電極線３１Ｌでは、互いに隣り合うドライブ電極線３１Ｌの間隔が、ドライブ電極線間幅Ｗ１Ｗとして設定され、ドライブ電極線間幅Ｗ１Ｗは、例えば、６００μｍに設定されている。
【０１３９】
端部ドライブ電極３１ＤＥにおけるドライブ電極線３１Ｌは、中間ドライブ電極３１ＤＭにおけるドライブ電極線３１Ｌと同じ幅を有している。すなわち、複数のドライブ電極３１ＤＰの各々において、ドライブ電極３１ＤＰごとの９本のドライブ電極線３１Ｌの総面積は、ドライブ面において均一であって相互に等しい。
【０１４０】
なお、ドライブ電極線３１Ｌの総面積が、ドライブ電極３１ＤＰ間において相互に等しい範囲であれば、端部ドライブ電極３１ＤＥにおけるドライブ電極線３１Ｌの幅は、中間ドライブ電極３１ＤＭにおけるドライブ電極線３１Ｌよりも太い幅を含んでもよい。また、端部ドライブ電極３１ＤＥにおけるドライブ電極線３１Ｌの幅は、中間ドライブ電極３１ＤＭにおけるドライブ電極線３１Ｌよりも細い幅を含んでもよい。
【０１４１】
端部ドライブ電極３１ＤＥにおけるドライブ電極線３１Ｌでは、互いに隣り合うドライブ電極線３１Ｌの間隔が、ドライブ電極線間幅Ｗ１Ｗと、端部ドライブ電極線間幅Ｗ１Ｎとして設定され、端部ドライブ電極線間幅Ｗ１Ｎは、例えば、ドライブ電極線間幅Ｗ１Ｗの２倍である１２００μｍに設定されている。端部ドライブ電極３１ＤＥには、第１電極部の一例としてドライブ電極線間幅Ｗ１Ｗを有する部分が含まれ、かつ、第２電極部の一例として端部ドライブ電極線間幅Ｗ１Ｎを有する部分が含まれている。
【０１４２】
端部ドライブ電極線間幅Ｗ１Ｎが、ドライブ電極線間幅Ｗ１Ｗよりも大きいため、ドライブ電極線３１Ｌ間の隙間の全てが、ドライブ電極線間幅Ｗ１Ｗを有する構成と比べて、端部ドライブ電極３１ＤＥでは、単位面積に占めるドライブ電極線３１Ｌの面積が、中間ドライブ電極３１ＤＭよりも小さい。すなわち、端部ドライブ電極３１ＤＥでは、ドライブ電極３１ＤＰの面積に対するドライブ電極線３１Ｌの総面積の比が、中間ドライブ電極３１ＤＭよりも小さい。この際に、ドライブ電極３１ＤＰにおける単位面積とは、中間ドライブ電極３１ＤＭにおいて２本以上のドライブ電極線３１Ｌが含まれる大きさである。
【０１４３】
ここで、ドライブ面において表示面１０Ｓと対向する領域は、タッチセンサの機能が求められるセンシングの対象領域に相当する。従来のタッチセンサのように、全てのドライブ電極３１ＤＰが、中間電極幅ＷＰＭを有するとき、センシングの対象領域の端部には、ドライブ電極３１ＤＰの位置しない部分として、中間電極幅ＷＰＭと端部電極幅ＷＰＥとの差に相当する隙間が形成される。そして、こうした隙間を埋めるべく、センシングの対象領域の端部には、新たな１つのドライブ電極３１ＤＰが加えられ、かつ、センシングの対象領域からはみ出した部分は省かれる。
【０１４４】
この点で、端部ドライブ電極線間幅Ｗ１Ｎが、ドライブ電極線間幅Ｗ１Ｗよりも大きい構成であれば、新たに１つのドライブ電極３１ＤＰが加わえられることなく、センシングの対象領域が、ドライブ電極３１ＤＰによって埋められる。そして、ドライブ電極線３１Ｌの総面積が、ドライブ電極３１ＤＰ間において相互に等しいため、第２配列方向Ｄ２における端部に位置する端部ドライブ電極３１ＤＥにおいては、中間ドライブ電極３１ＤＭよりも静電容量が小さくなることが抑えられる。
【０１４５】
なお、端部ドライブ電極線間幅Ｗ１Ｎだけ離れた２つのドライブ電極線３１Ｌは、ドライブ電極３１ＤＰの並ぶ領域の端部に位置することが好ましい。端部ドライブ電極線間幅Ｗ１Ｎを空けて並ぶドライブ電極線３１Ｌは、ドライブ電極線間幅Ｗ１Ｗを空けて並ぶドライブ電極線３１Ｌよりも疎に配置される。この点で、端部ドライブ電極線間幅Ｗ１Ｎを空けて並ぶドライブ電極線３１Ｌが、ドライブ電極３１ＤＰの並ぶ領域の端部に配置される構成であれば、疎に並ぶドライブ電極線３１Ｌが視認され難くなる。
【０１４６】
［センシング電極３３ＳＰ］
１つのセンシング電極３３ＳＰは、第１配列方向Ｄ１に沿って延びる折れ線状に形成された９本のセンシング電極線３３Ｌから構成されて、第１配列方向Ｄ１に沿って延びる帯状電極である。複数のセンシング電極３３ＳＰの各々の面積は、表示面１０Ｓと平行な面であるセンシング面上において、９本のセンシング電極線３３Ｌと、相互に隣り合うセンシング電極線３３Ｌ間の隙間とから構成されている。複数のセンシング電極３３ＳＰの各々は、平面視方向から見て、複数のドライブ電極３１ＤＰの各々と交差する位置に配置されている。
【０１４７】
複数のセンシング電極３３ＳＰのうち、センシング電極３３ＳＰの並ぶ領域の両端部に配置されるセンシング電極３３ＳＰは、端部センシング電極３３ＳＥとして設定されている。複数のセンシング電極３３ＳＰのうち、端部センシング電極３３ＳＥ以外のセンシング電極３３ＳＰは、中間センシング電極３３ＳＭとして設定されている。
【０１４８】
第２配列方向Ｄ２において、複数の中間センシング電極３３ＳＭの各々の位置は、表示面１０Ｓと重なる位置である。複数の中間センシング電極３３ＳＭにて、第２配列方向Ｄ２における長さは、中間電極幅ＷＳＭとして設定されている。中間電極幅ＷＳＭは、中間センシング電極３３ＳＭを構成する９本のセンシング電極線３３Ｌの接続先であるパッド３３Ｔの有する幅と同じである。
【０１４９】
第２配列方向Ｄ２において、２つの端部センシング電極３３ＳＥの各々は、表示面１０Ｓと対向する領域の内側に位置している。２つの端部センシング電極３３ＳＥにて、第２配列方向Ｄ２における長さは、端部電極幅ＷＳＥとして設定されている。端部電極幅ＷＳＥは、端部センシング電極３３ＳＥを構成する９本のセンシング電極線３３Ｌの接続先であるパッド３３Ｔの有する幅と同じであり、中間電極幅ＷＳＭよりも大きい。
【０１５０】
端部電極幅ＷＳＥが、中間電極幅ＷＳＭよりも大きいため、全てのセンシング電極３３ＳＰが、中間電極幅ＷＳＭを有する構成と比べて、センシング電極３３ＳＰの並ぶ領域では、第２配列方向Ｄ２における長さが長くなる。それゆえに、センシング電極３３ＳＰの並ぶ領域の端部では、センシングの対象領域に対して不足する部分が発生することが抑えられる。
【０１５１】
複数のセンシング電極線３３Ｌの各々において、第２配列方向Ｄ２に沿った長さは、センシング電極線幅Ｗ３Ｌとして設定され、センシング電極線幅Ｗ３Ｌは、例えば、５μｍに設定されている。
【０１５２】
中間センシング電極３３ＳＭにおけるセンシング電極線３３Ｌでは、互いに隣り合うセンシング電極線３３Ｌの間隔が、センシング電極線間幅Ｗ３Ｗとして設定され、センシング電極線間幅Ｗ３Ｗは、例えば、６００μｍに設定されている。
【０１５３】
端部センシング電極３３ＳＥにおけるセンシング電極線３３Ｌは、中間センシング電極３３ＳＭにおけるセンシング電極線３３Ｌと同じ幅を有している。すなわち、複数のセンシング電極３３ＳＰの各々において、センシング電極３３ＳＰごとの９本のセンシング電極線３３Ｌの占める総面積は、センシング面において均一であって相互に等しい。
【０１５４】
なお、センシング電極線３３Ｌの総面積が、センシング電極３３ＳＰ間において相互に等しい範囲であれば、端部センシング電極３３ＳＥにおけるセンシング電極線３３Ｌの幅は、中間センシング電極３３ＳＭにおけるセンシング電極線３３Ｌよりも太い幅を含んでもよい。また、端部センシング電極３３ＳＥにおけるセンシング電極線３３Ｌの幅は、中間センシング電極３３ＳＭにおけるセンシング電極線３３Ｌよりも細い幅を含んでもよい。
【０１５５】
端部センシング電極３３ＳＥにおけるセンシング電極線３３Ｌでは、互いに隣り合うセンシング電極線３３Ｌの間隔が、センシング電極線間幅Ｗ３Ｗと端部センシング電極線間幅Ｗ３Ｎとして設定され、端部センシング電極線間幅Ｗ３Ｎは、例えば、センシング電極線間幅Ｗ３Ｗの２倍である１２００μｍに設定されている。端部センシング電極３３ＳＥには、第１電極部の一例としてセンシング電極線間幅Ｗ３Ｗを有する部分が含まれ、かつ、第２電極部の一例として端部センシング電極線間幅Ｗ３Ｎを有する部分が含まれている。
【０１５６】
端部センシング電極線間幅Ｗ３Ｎが、センシング電極線間幅Ｗ３Ｗよりも大きいため、センシング電極線３３Ｌ間の隙間の全てが、センシング電極線間幅Ｗ３Ｗを有する構成と比べて、端部センシング電極３３ＳＥでは、単位面積に占めるセンシング電極線３３Ｌの面積が、中間センシング電極３３ＳＭよりも小さい。すなわち、端部センシング電極３３ＳＥでは、センシング電極３３ＳＰの面積に対するセンシング電極線３３Ｌの総面積の比が、中間センシング電極３３ＳＭよりも小さい。この際に、センシング電極３３ＳＰにおける単位面積とは、中間センシング電極３３ＳＭにおいて２本以上のセンシング電極線３３Ｌが含まれる大きさである。
【０１５７】
ここで、センシング面において表示面１０Ｓと対向する領域は、タッチセンサの機能が求められるセンシングの対象領域に相当する。従来のタッチセンサのように、全てのセンシング電極３３ＳＰが、中間電極幅ＷＳＭを有するとき、センシングの対象領域の端部には、センシング電極３３ＳＰの位置しない部分として、中間電極幅ＷＳＭと端部電極幅ＷＳＥとの差に相当する隙間が形成される。そして、こうした隙間を埋めるべく、センシング電極３３ＳＰの並ぶ領域の端部には、新たな１つのセンシング電極３３ＳＰが加えられ、かつ、センシングの対象領域からはみ出した部分が省かれる。
【０１５８】
この点で、端部センシング電極線間幅Ｗ３Ｎが、センシング電極線間幅Ｗ３Ｗよりも大きい構成であれば、新たに１つのセンシング電極３３ＳＰが加わることなく、センシングの対象領域が、センシング電極３３ＳＰによって埋められる。そして、センシング電極線３３Ｌの総面積が、センシング電極３３ＳＰ間において相互に等しいため、第２配列方向Ｄ２における端部に位置する端部センシング電極３３ＳＥにおいては、中間センシング電極３３ＳＭよりも静電容量が小さくなることが抑えられる。
【０１５９】
なお、端部センシング電極線間幅Ｗ３Ｎだけ離れた２つのセンシング電極線３３Ｌは、センシング電極３３ＳＰの並ぶ領域の端部に位置することが好ましい。端部センシング電極線間幅Ｗ３Ｎを空けて並ぶセンシング電極線３３Ｌは、センシング電極線間幅Ｗ３Ｗを空けて並ぶセンシング電極線３３Ｌよりも疎に配置される。この点で、端部センシング電極線間幅Ｗ３Ｎを空けて並ぶセンシング電極線３３Ｌが、センシング電極３３ＳＰの並ぶ領域の端部に配置される構成であれば、疎に並ぶセンシング電極線３３Ｌが視認され難くなる。
上記第２実施形態によれば、上記（１）（２）（７）（８）に準じた効果に加えて以下の効果が得られる。
【０１６０】
（１０）端部ドライブ電極３１ＤＥでは、端部電極幅ＷＰＥが中間電極幅ＷＰＭよりも大きく、かつ、単位面積に占める電極線の面積が他のドライブ電極３１ＤＰよりも小さい。そのため、センシングの対象領域から外れた部分が、ドライブ電極３１ＤＰから除かれる従来の構成と比べて、端部ドライブ電極３１ＤＥでは、他のドライブ電極３１ＤＰと同じ程度の静電容量が得られやすい。
【０１６１】
（１１）端部センシング電極３３ＳＥでは、端部電極幅ＷＰＥが中間電極幅ＷＰＭよりも大きく、かつ、単位面積に占める電極線の面積が他のセンシング電極３３ＳＰよりも小さい。そのため、センシングの対象領域から外れた部分が、センシング電極３３ＳＰから除かれる従来の構成と比べて、端部センシング電極３３ＳＥでは、他のセンシング電極３３ＳＰと同じ程度の静電容量が得られやすい。
【０１６２】
（１２）端部ドライブ電極３１ＤＥでは、互いに隣り合うドライブ電極線３１Ｌの間隔が、端部ドライブ電極線間幅Ｗ１Ｎであることによって、単位面積に占める電極線の面積が、他の帯状電極よりも小さくなる。それゆえに、単位面積に占める電極線の面積を抑えることに際し、ドライブ電極線３１Ｌの大きさの変更、および、ドライブ電極線３１Ｌの形状の変更が不要である。
【０１６３】
（１３）端部センシング電極３３ＳＥでは、互いに隣り合うセンシング電極線３３Ｌの間隔が、端部センシング電極線間幅Ｗ３Ｎであることによって、単位面積に占める電極線の面積が、他の帯状電極よりも小さくなる。それゆえに、単位面積に占める電極線の面積を抑えることに際し、センシング電極線３３Ｌの大きさの変更、および、センシング電極線３３Ｌの形状の変更が不要である。
なお、上記第２実施形態は、以下のように変更して実施することもできる。
【０１６４】
・端部ドライブ電極３１ＤＥの全体にて、互いに隣り合うドライブ電極線３１Ｌの間隔が、ドライブ電極線間幅Ｗ１Ｗよりも大きい端部ドライブ電極線間幅Ｗ１Ｎであってもよい。
【０１６５】
なお、端部センシング電極３３ＳＥにおいても同様に、端部センシング電極３３ＳＥに含まれる全てのセンシング電極線３３Ｌにて、互いに隣り合うセンシング電極線３３Ｌの間隔が、センシング電極線間幅Ｗ３Ｗよりも大きい端部センシング電極線間幅Ｗ３Ｎであってもよい。
【０１６６】
・図１１の左端に示されるように、端部ドライブ電極線間幅Ｗ１Ｎを有して接続線の一例である２つのドライブ電極線３１Ｌの間に、ドライブ電極線３１Ｌとは異なる非接続線の一例であるダミーパターン３３ＤＬが位置してもよい。この際に、ダミーパターン３３ＤＬは、ドライブ電極線３１Ｌと同じ材料から構成されることが好ましい。また、ダミーパターン３３ＤＬは、パッド３１Ｔから間隙部３１Ｃを空けて位置し、かつ、ドライブ電極線３１Ｌとほぼ同じ形状を有することが好ましい。さらに、間隙部３１Ｃは、センシングの対象領域とパッド３１Ｔとの間に位置することが好ましい。
【０１６７】
また、端部センシング電極線間幅Ｗ３Ｎを有する２つのセンシング電極線３３Ｌの間に、センシング電極線３３Ｌとは異なるダミーパターン３１ＤＬが位置してもよい。この際に、ダミーパターン３１ＤＬは、センシング電極線３３Ｌと同じ材料から構成されることが好ましい。また、ダミーパターン３１ＤＬは、センシング電極線３３Ｌの接続先であるパッド３３Ｔから隙間３３Ｃを空けて位置し、かつ、センシング電極線３３Ｌとほぼ同じ形状を有することが好ましい。さらに、隙間３３Ｃは、センシングの対象領域とパッド３３Ｔとの間に位置することが好ましい。
【０１６８】
さらに、図１１が示すように、ダミーパターン３１ＤＬは、２以上の間隙部３１Ｃによって分割された形状であってもよいし、また、ダミーパターン３３ＤＬも同じく、２以上の隙間３３Ｃによって分割された形状であってもよい。この際に、２以上の間隙部３１Ｃは、平面視において、相互に隣り合うセンシング電極３３ＳＰの間に位置することが好ましく、２以上の隙間３３Ｃもまた、平面視において、相互に隣り合うドライブ電極３１ＤＰの間に位置することが好ましい。
上記変形例によれば、上記（１０）から（１３）に準じた効果に加えて以下の効果も得られる。
（１４）端部と中間ドライブ電極３１ＤＭとが互いに異なる帯状電極として視認されることも抑えられる。
（１５）端部センシング電極３３ＳＥと中間センシング電極３３ＳＭとが互いに異なる帯状電極として視認されることも抑えられる。
【０１６９】
（１６）ドライブ電極線３１Ｌとダミーパターン３３ＤＬとがほぼ同じ形状を有するため、例えば、パッド３１Ｔに接続する１０本のドライブ電極線３１Ｌを形成し、１０本のドライブ電極線３１Ｌの中の１本を間隙部３１Ｃによって切断することによって、ダミーパターン３３ＤＬを形成することも可能である。また、ドライブ電極線間幅Ｗ１Ｗよりも広い幅である端部ドライブ電極線間幅Ｗ１Ｎを有した隙間にダミーパターン３３ＤＬを位置させることが、さらに容易である。
【０１７０】
（１７）センシング電極線３３Ｌとダミーパターン３１ＤＬとがほぼ同じ形状を有するため、例えば、パッド３３Ｔに接続する１０本のセンシング電極線３３Ｌを形成し、１０本のセンシング電極線３３Ｌの中の１本を隙間３３Ｃによって切断することによって、ダミーパターン３１ＤＬを形成することも可能である。また、センシング電極線間幅Ｗ３Ｗよりも広い幅である端部センシング電極線間幅Ｗ３Ｎを有した隙間にダミーパターン３１ＤＬを位置させることが、さらに容易である。
【０１７１】
（１８）間隙部３１Ｃや隙間３３Ｃは、センシングの対象領域の外側に位置するため、ドライブ電極線３１Ｌとダミーパターン３３ＤＬとが互いに異なる電極線であること、また、センシング電極線３３Ｌとダミーパターン３１ＤＬとが互いに異なる電極線であることが視認されることも抑えられる。
【０１７２】
（１９）相互に隣り合うセンシング電極３３ＳＰの間に間隙部３１Ｃが位置する構成であれば、ダミーパターン３３ＤＬの有する浮遊容量が、センシング電極３３ＳＰごとに等しくなる。それゆえに、浮遊容量を有したダミーパターン３３ＤＬが加わる構成であっても、複数のセンシング電極３３ＳＰの各々と、端部ドライブ電極３１ＤＥとの間の静電容量が、センシング電極３３ＳＰごとに異なることも抑えられる。
【０１７３】
・端部ドライブ電極３１ＤＥには、中間ドライブ電極３１ＤＭにおけるドライブ電極線幅Ｗ１Ｌよりも大きい線幅を有するドライブ電極線が含まれてもよい。このような構成であっても、ドライブ電極線３１Ｌの総面積がドライブ電極３１ＤＰごとに等しく、かつ、ドライブ電極３１ＤＰの面積に対するドライブ電極線３１Ｌの総面積の比が、端部ドライブ電極３１ＤＥにて中間ドライブ電極３１ＤＭよりも小さい構成であれば、上記に準じた効果は得られる。
【０１７４】
また、端部センシング電極３３ＳＥには、中間センシング電極３３ＳＭにおけるセンシング電極線幅Ｗ３Ｌよりも大きい線幅を有するセンシング電極線が含まれてもよい。このような構成であっても、センシング電極線３３Ｌの総面積がセンシング電極３３ＳＰごとに等しく、かつ、センシング電極３３ＳＰの面積に対するセンシング電極線３３Ｌの総面積の比が、端部センシング電極３３ＳＥにて中間センシング電極３３ＳＭよりも小さい構成であれば、上記に準じた効果は得られる。
【０１７５】
・ドライブ電極３１ＤＰを構成するドライブ電極線３１Ｌの本数は、２本以上であればよく、また、センシング電極３３ＳＰを構成するセンシング電極線３３Ｌの本数は、２本以上であればよい。
・互いに隣り合うドライブ電極線３１Ｌの間の距離であるドライブ電極線幅Ｗ１Ｌは、ドライブ電極線３１Ｌ間ごとに異なる大きさであってもよい。
また、互いに隣り合うセンシング電極線３３Ｌの間の距離であるセンシング電極線幅Ｗ３Ｌは、センシング電極線３３Ｌ間ごとに異なる大きさであってもよい。
【０１７６】
・複数のドライブ電極３１ＤＰの各々は、互いに交差するドライブ電極線によって格子状に形成されてもよい。この際に、端部ドライブ電極３１ＤＥは、ドライブ電極線の密度を中間ドライブ電極３１ＤＭよりも低くする構成であればよい。
【０１７７】
また、複数のセンシング電極３３ＳＰの各々は、互いに交差するセンシング電極線によって格子状に形成されてもよい。この際に、端部センシング電極３３ＳＥは、センシング電極線の密度を中間センシング電極３３ＳＭよりも低くする構成であればよい。
・端部電極幅ＷＰＥは、中間電極幅ＷＰＭ以上であってもよいし、端部電極幅ＷＳＥは、中間電極幅ＷＳＭ以上であってもよい。
【０１７８】
要するに、ドライブ電極線３１Ｌの総面積がドライブ電極３１ＤＰごとに等しく、かつ、ドライブ電極３１ＤＰの面積に対するドライブ電極線３１Ｌの総面積の比が、端部ドライブ電極３１ＤＥにて中間ドライブ電極３１ＤＭよりも小さい構成であればよい。
【０１７９】
また、センシング電極線３３Ｌの総面積がセンシング電極３３ＳＰごとに等しく、かつ、センシング電極３３ＳＰの面積に対するセンシング電極線３３Ｌの総面積の比が、端部センシング電極３３ＳＥにて中間センシング電極３３ＳＭよりも小さい構成であればよい。
【０１８０】
・複数のドライブ電極３１ＤＰのうち、第１配列方向Ｄ１における一方の端部に配置されるドライブ電極３１ＤＰのみが、端部ドライブ電極３１ＤＥとして設定されてもよい。また、複数のセンシング電極３３ＳＰのうち、第２配列方向Ｄ２における一方の端部に配置されるセンシング電極３３ＳＰのみが、端部センシング電極３３ＳＥとして設定されてもよい。
【０１８１】
・端部ドライブ電極３１ＤＥにおける端部ドライブ電極線間幅Ｗ１Ｎは、ドライブ電極線間幅Ｗ１Ｗと同じであってもよい。あるいは、端部センシング電極３３ＳＥにおける端部センシング電極線間幅Ｗ３Ｎは、センシング電極線間幅Ｗ３Ｗと同じであってもよい。要するに、端部ドライブ電極線間幅Ｗ１Ｎが、ドライブ電極線間幅Ｗ１Ｗよりも大きい、あるいは、端部センシング電極線間幅Ｗ３Ｎが、センシング電極線間幅Ｗ３Ｗよりも大きい構成であればよい。
【０１８２】
・上記各実施形態において、カバー層２２の裏面がセンシング面に設定され、カバー層２２の裏面がセンシング電極３３ＳＰを有する構成であってもよい。また、透明誘電体基板３３の裏面がドライブ面３１Ｓとして設定され、透明誘電体基板３３の裏面がドライブ電極３１ＤＰを有する構成であってもよい。この際に、透明基板３１が割愛されてもよい。
【０１８３】
・図１３が示すように、タッチパネル２０を構成するタッチセンサ用電極２１において、透明基板３１が割愛されてもよい。こうした構成では、透明誘電体基板３３の面の中で、表示パネル１０と対向する１つの面がドライブ面３１Ｓとして設定され、ドライブ面３１Ｓには、ドライブ電極３１ＤＰが位置すればよい。そして、透明誘電体基板３３における、ドライブ面３１Ｓと対向する面に、センシング電極３３ＳＰが位置すればよい。なお、こうした構成では、ドライブ電極３１ＤＰを構成するパッド３１Ｔや電極線３１Ｌは、例えば、ドライブ面３１Ｓに形成される１つの薄膜のパターニングによって形成される。
【０１８４】
・図１４が示すように、タッチパネル２０では、表示パネル１０に近い構成要素から順番に、ドライブ電極３１ＤＰ、透明基板３１、透明接着層３２、透明誘電体基板３３、センシング電極３３ＳＰ、透明接着層２３、カバー層２２が位置してもよい。なお、こうした構成では、例えば、ドライブ電極３１ＤＰを構成するパッド３１Ｔや電極線３１Ｌが、透明基板３１の１つの面であるドライブ面３１Ｓに形成され、センシング電極３３ＳＰを構成するパッド３３Ｔや電極線３３Ｌが、透明誘電体基板３３の１つの面であるセンシング面３３Ｓに形成される。そして、透明基板３１においてドライブ面３１Ｓと対向する面と、透明誘電体基板３３においてセンシング面３３Ｓと対応する面とが、透明接着層３２によって接着される。
【０１８５】
・タッチパネル２０と表示パネル１０とは、個別に形成されていなくともよく、タッチパネル２０は、表示パネル１０と一体に形成されてもよい。こうした構成では、例えば、タッチセンサ用電極２１のうち、複数のドライブ電極３１ＤＰがＴＦＴ層１３に位置する一方、複数のセンシング電極３３ＳＰがカラーフィルタ基板１６と上側偏光板１７との間に位置する構成とすることができる。あるいは、タッチセンサ用電極２１がカラーフィルタ基板１６と上側偏光板１７との間に位置する構成でもよい。
【符号の説明】
【０１８６】
Ｄ１…第１配列方向、Ｄ２…第２配列方向、Ｚ１…第１電圧領域、Ｚ２…第２電圧領域、Ｚ３…第３電圧領域、Ｗ１Ｌ…ドライブ電極線幅、Ｗ１Ｎ…端部ドライブ電極線間幅、Ｗ１Ｗ…ドライブ電極線間幅、Ｗ３Ｌ…センシング電極線幅、Ｗ３Ｎ…端部センシング電極線間幅、Ｗ３Ｗ…センシング電極線間幅、ＷＰＥ，ＷＳＥ…端部電極幅、ＷＰＭ，ＷＳＭ…中間電極幅、１０…表示パネル、１０Ｓ…表示面、２０…タッチパネル、２０Ｓ…操作面、２１…タッチセンサ用電極、２２…カバー層、２３…透明接着層、３１…透明基板、３１Ｌ…ドライブ電極線、３１Ｓ…ドライブ面、３１Ｔ，３３Ｔ…パッド、３１ＤＥ…端部ドライブ電極、３１ＤＭ…中間ドライブ電極、３１ＤＰ…ドライブ電極、３１ＳＭ…中間センシング電極、３２…透明接着層、３３…透明誘電体基板、３３Ｌ…センシング電極線、３３Ｓ…センシング面、３３ＳＭ…中間センシング電極、３３ＳＰ…センシング電極、３３ＳＥ…端部センシング電極、３５Ｌ…第２ドライブ電極線、３４…選択回路、３５…検出回路。
【図１】
0005943023.tif 000002
【図２】
0005943023.tif 000003
【図３】
0005943023.tif 000004
【図４】
0005943023.tif 000005
【図５】
0005943023.tif 000006
【図６】
0005943023.tif 000007
【図７】
0005943023.tif 000008
【図８】
0005943023.tif 000009
【図９】
0005943023.tif 000010
【図１０】
0005943023.tif 000011
【図１１】
0005943023.tif 000012
【図１２】
0005943023.tif 000013
【図１３】
0005943023.tif 000014
【図１４】
0005943023.tif 000015